(57)【特許請求の範囲】
【請求項１】
木造軸組工法で構築され、
平面視における四角形の隅部にそれぞれ配置された４本の柱と、
該４本の柱のうちの隣り合う２本の柱にそれぞれ固定された４枚の構造用面材と、を有する耐力壁コアを備え、
前記４本の柱のうちの隣り合う２本の第１柱は、室内と室外との境界に配置された壁部の軸線上または、室外に配置された壁部の軸線上に配置され、前記２本の第１柱以外の２本の第２柱は、前記壁部の軸線と離間する位置に配置され、
前記壁部には、開口部が形成されていて、
前記開口部の前記軸線に沿った方向の両側に前記耐力壁コアが隣接して設けられている、または、前記開口部の前記軸線に沿った方向の一方側に前記耐力壁コアが隣接して設けられ、他方側に前記軸線に沿った耐力壁が隣接して設けられ、
前記耐力壁コアには、前記２本の第２柱の前記構造用面材が固定されている側と反対側の面に、さらに他の１枚の構造用面材が固定されていることを特徴とする木造建築物。
【請求項２】
前記耐力壁コアには、前記２本の第１柱と前記２本の第２柱との間にそれぞれ中間柱が配置されていて、隣り合う前記中間柱には構造用面材が固定され、
前記中間柱は、隣り合う前記第１柱と前記第２柱とを結ぶ線上に配置され、隣り合う前記第１柱と前記第２柱とに固定された構造用面材が前記中間柱に固定されていることを特徴とする請求項１に記載の木造建築物。
【発明の詳細な説明】
【技術分野】
【０００１】
本発明は、耐震性を有する木造建築物に関する。
【背景技術】
【０００２】
従来、大空間の部屋と大きな開口部を有する木造建築物において高い耐震性も兼ね備えることは難しい。
特許文献１には、大空間の部屋や大きな開口部を有する木造建築物において、４枚の耐力壁を四角柱状に配置した柱構造を、大きな開口部が形成された外壁と連続するように設ける技術が開示されている。
【先行技術文献】
【特許文献】
【０００３】
【特許文献１】特許第４３５５２４４号公報
【発明の概要】
【発明が解決しようとする課題】
【０００４】
ところで、木造建築物では、地震力や風圧力が作用した際のねじれを防止するために、重心と剛心とが近い位置に配置される必要がある。このため、木造建築物では、耐力壁をバランスよく配置する必要がある。
【０００５】
そこで、本発明は、耐力壁をバランスよく配置することができる木造建築物を提供することを目的とする。
【課題を解決するための手段】
【０００６】
上記目的を達成するため、本発明に係る木造建築物は、木造軸組工法で構築され、平面視における四角形の隅部にそれぞれ配置された４本の柱と、該４本の柱のうちの隣り合う２本の柱にそれぞれ固定された４枚の構造用面材と、を有する耐力壁コアを備え、前記４本の柱のうちの隣り合う２本の第１柱は、室内と室外との境界に配置された壁部の軸線上または、室外に配置された壁部の軸線上に配置され、前記２本の第１柱以外の２本の第２柱は、前記壁部の軸線と離間する位置に配置され、前記壁部には、開口部が形成されていて、前記開口部の前記軸線に沿った方向の両側に前記耐力壁コアが隣接して設けられている、または、前記開口部の前記軸線に沿った方向の一方側に前記耐力壁コアが隣接して設けられ、他方側に前記軸線に沿った耐力壁が隣接して設けられ、前記耐力壁コアには、前記２本の第２柱の前記構造用面材が固定されている側と反対側の面に、さらに他の１枚の構造用面材が固定されていることを特徴とする。
【０００７】
本発明では、耐力壁コアの４本の柱のうちの隣り合う２つの柱と、これらの隣り合う２つの柱に固定された構造用面材とが耐力壁を構成している。
そして、４本の柱のうちの２本の第１柱が、室内と室外との境界に配置された壁部の軸線上または、室外に配置された壁部の軸線上に配置されることにより、２本の第１柱とこれらの２本の第１柱に固定された構造用面材とが構成する耐力壁を、室内と室外との境界に配置された壁部の軸線上または、室外に配置された壁部の軸線上に配置することができる。また、２本の第２柱とこれらの２本の第２柱に固定された構造用面材とが構成する耐力壁を、室内と室外との境界に配置された壁部または、室外に配置された壁部と平行に配置することができる。
また、隣り合う第１柱および第２柱と、これらの第１柱および第２柱に固定された構造用面材とが構成する耐力壁を、壁部の軸線と交差するように配置することができる。
そして、耐力壁コアを配置することにより、室内と室外との境界に配置された壁部や、室外に配置された壁部に沿って必要量の耐力壁を配置できない場合でも、これらの壁部の軸線上やこの軸線近傍に必要量の耐力壁をバランスよく配置することができる。
なお、本発明では耐力壁コアの内部については、室内とみなさないものとする。
【０００８】
また、本発明に係る木造建築物では、前記壁部には、開口部が形成されていて、前記耐力壁コアには、前記２本の第２柱の前記構造用面材が固定されている側と反対側の面に、さらに他の１枚の構造用面材が固定されている。
このような構成とすることにより、２本の第２柱と、２本の第２柱の構造用面材が固定されている側と反対側の面にさら固定された他の１枚の構造用面材とが、さらに他の耐力壁を構成するため、耐力壁コアに配置される耐力壁を多くすることができる。そして、壁部に開口部が形成されていて必要量の耐力壁を配置できない場合でも、耐力壁コアを配置することにより、室内と室外との境界に配置された壁部または室外に配置された壁部の軸線上や、この近傍に耐力壁をバランスよく配置することができる。
なお、本発明において、開口部とは、サッシやドアなどの建具が設けられている開口部のみでなく、軸線を同じくし軸線方向に間隔をあけて配置された２つの壁体の間隔も含むものとする。
【０００９】
また、本発明に係る木造建築物では、前記耐力壁コアには、前記２本の第１柱と前記２本の第２柱との間にそれぞれ中間柱が配置されていて、隣り合う前記中間柱には構造用面材が固定され、前記中間柱は、隣り合う前記第１柱と前記第２柱とを結ぶ線上に配置され、隣り合う前記第１柱と前記第２柱とに固定された構造用面材が前記中間柱に固定されていてもよい。
このような構成とすることにより、隣り合う中間柱と、これらの中間柱に固定された構造用面材とが耐力壁を構成することができる。
【発明の効果】
【００１０】
本発明によれば、耐力壁コアを配置することにより、室内と室外との境界に配置された壁部または、室外に配置された壁部に沿って必要量の耐力壁を配置できない場合でも、壁部の軸線上やこの軸線近傍に必要量の耐力壁をバランスよく配置することができる。
【図面の簡単な説明】
【００１１】
【図１】本発明の第１実施形態による木造建築物の一例を示す平面図である。
【図２】図１の南側から見た立面図である。
【図３】第１実施形態による耐力壁コアを説明する平面図である。
【図４】図３の斜視図である。
【図５】第２実施形態による木造建築物の一例を示す平面図である。
【図６】第２実施形態による耐力壁コアを説明する平面図である。
【図７】第３実施形態による木造建築物の一例を示す平面図である。
【発明を実施するための形態】
【００１２】
（第１実施形態）
以下、本発明の第１実施形態による木造建築物について、図１乃至図４に基づいて説明する。
図１および図２に示すように、第１実施形態による木造建築物１Ａは、２階建ての住宅で、木造軸組工法で構築されている。木造建築物１Ａは、１階および２階の南側の部分にそれぞれ大空間となる部屋１１が設けられているとともに、１階および２階の南側の室内１０Ａと室外１０Ｂとを仕切る壁部１２（以下第１壁部１２とする）に、他の東側、西側、および北側の外壁に形成されている開口部と比べて大きな開口部１３Ａが形成されている。開口部１３Ａには、それぞれサッシ１４が設けられている。
【００１３】
本実施形態では、１階の第１壁部１２と２階の第１壁部１２とは、上下方向に重なる位置に配置されている。
そして、１階の第１壁部１２および２階の第１壁部１２は、開口部１３Ａの両側にそれぞれ第１壁体１５Ａ，１５Ａが設けられていて、１階の開口部１３Ａと２階と開口部１３Ａとが、上下方向に重なる位置に配置されているとともに、１階の第１壁体１５Ａと２階の第１壁体１５Ａとが上下方向に重なる位置に配置されている。
【００１４】
そして、本実施形態による木造建築物１Ａは、第１壁体１５Ａとそれぞれ一体化した耐力壁コア２Ａを備えている。１階の耐力壁コア２Ａと２階の耐力壁コア２Ａとは、上下方向に重なる位置に配置されている。
図３および図４に示すように、耐力壁コア２Ａ，２Ａは、平面視における略正方形の隅部にそれぞれ配置された４本の柱３，３…と、４本の柱３，３…のうちの隣り合う柱３，３間に配置された４本の間柱５と、４本の柱のうちの隣り合う柱３，３およびこの隣り合う柱３，３の間の間柱５に固定された５枚の構造用面材４，４…と、を有している。
【００１５】
図４に示すように、１階の耐力壁コア２Ａの４本の柱３，３…は、基礎１７の上に設けられた土台１８と１階の梁材１９との間に配置されている。また、図示されていないが、２階の耐力壁コア２Ａの４本の柱３，３…は、１階の梁材１９と２階の梁材との間に配置されている。これらの柱３と土台１８、柱３と梁材との接合方法は、公知の方法で接合されている。
なお、柱３として、１階および２階に連続する通し柱を使用してもよい。
【００１６】
４本の柱３，３…のうちの東西方向に隣り合う２本の第１柱３１，３１は、第１壁部１２の軸線１２ａ上に配置され、第１壁体１５Ａの柱を構成している。また、４本の柱３，３…のうちの２本の第１柱３１，３１以外の２本の第２柱３２，３２は、第１柱３１，３１の南側に配置されている。
本実施形態では、東西方向に隣り合う２本の第１柱３１，３１の柱芯の間隔、東西方向に隣り合う２本の第２柱３２，３２の柱芯間隔、および南北方向に隣り合う第１柱３１の柱芯と第２柱３２の柱芯との間隔は、約６００ｍｍに設定されている。
【００１７】
構造用面材４，４…はそれぞれ、隣り合う柱の間隔を閉塞可能な幅寸法に形成されているとともに、上下に配置される横架材（土台、梁材）の間隔を閉塞可能な高さ寸法に形成されている。
そして、５枚の構造用面材４，４…を第１構造用面材４１〜第５構造用面材４５とすると、第１構造用面材４１は、その面が南北方向を向くように配置され、２つの第１柱３１，３１の間隔を塞ぐように、東西方向の両端部が第１柱３１，３１に南側から固定されている。
また、第２構造用面材４２は、その面が南北方向を向くように配置され、２つの第２柱３２，３２の間隔を塞ぐように、東西方向の両端部が第２柱３２，３２に南側から固定されている。
また、第３構造用面材４３は、その面が南北方向を向くように配置され、２つの第２柱３２，３２の間隔を塞ぐように、東西方向の両端部が第２柱３２，３２に北側から固定されている。
【００１８】
また、第４構造用面材４４は、その面が東西方向を向くように配置され、２つの第１柱３１，３１のうち西側の第１柱３１と、２つの第２柱３２，３２のうち西側の第２柱３２の間隔を塞ぐように、南北方向の端部が西側の第１柱３１および西側の第２柱３２に西側から固定されている。
また、第５構造用面材４５は、その面が東西方向を向くように配置され、２つの第１柱３１，３１のうち東側の第１柱３１と、２つの第２柱３２，３２のうち東側の第２柱３２の間隔を塞ぐように、南北方向の端部が東側の第１柱３１および東側の第２柱３２に東側から固定されている。
なお、第１〜第５構造用面材４１〜４５は、それぞれ対向する間柱５にも固定されている。
また、本実施形態では、２つの第１柱３１，３１の北側には、内装用面材が設けられていて、この内装用面材と第１構造用面材４１との間には、断熱材が配置されている。なお、断熱材の有無や、断熱材が配置される位置は、適宜設定されてよい。
【００１９】
次に第１実施形態による耐力壁コア２Ａの施工方法について説明する。
まず、１階の耐力壁コア２Ａの第１柱３１，３１および第２柱３２，３２を土台の上部に立設し、これらの柱の上部に１階の梁を架設する。そして、１階の梁の上部に２階の耐力壁コア２Ａの柱を立設し、これらの柱の上部に２階の梁を架設する。
続いて、耐力壁コア２Ａの、東側の第１柱３１と東側の第２柱３２との間の間柱５以外の間柱５を立設する。そして、第１〜第４構造用面材４１〜４４をそれぞれ上述した所定の位置に配置して固定する。
続いて、耐力壁コア２Ａの、東側の第１柱３１と東側の第２柱３２との間の間柱５を立設し、第５構造用面材４５を東側の第１柱３１、東側の第２柱３２、およびこれらの間の間柱５に東側から固定する。
このようにして耐力壁コア２Ａが構築される。
【００２０】
次に、上述した木造建築物１Ａの作用・効果について図面を用いて説明する。
上述した第１実施形態による木造建築物１Ａでは、耐力壁コア２Ａの隣り合う２本の柱と、これらの２本の柱に固定された構造用面材４，４…とが耐力壁を構成することにより、耐力壁コア２Ａには複数の耐力壁が配置された構成となるため、第１壁部１２に沿って必要量の耐力壁を配置できない場合でも、耐力壁コア２Ａを設けることで、第１壁部１２の軸線１２ａ上やこの軸線１２ａ近傍に必要量の耐力壁をバランスよく配置することができる。
【００２１】
（第２実施形態）
次に、他の実施形態について、添付図面に基づいて説明するが、上述の第１実施形態と同一又は同様な部材、部分には同一の符号を用いて説明を省略し、第１実施形態と異なる構成について説明する。
図５に示すように、第２実施形態による木造建築物１Ｂは、耐力壁コア２Ｂが開口部１３Ａの西側には設けられておらず、開口部１３Ａの東側の第１壁体１５Ａのみに一体に設けられている。
また、図６に示すように、第２実施形態では、南北方向に隣り合う第１柱３１と第２柱３２との間に中間柱３４が設けられている。中間柱３４は、隣り合う第１柱３１と第２柱３２とを結ぶ線上に配置されている。
第１柱３１と中間柱３４の間隔が、第１実施形態の第１柱３１と第２柱３２の間隔の略１／２の寸法で、約３００ｍｍに設定されていて、２本の中間柱３４，３４の南側に２本の第２柱３２，３２が配置されている。なお、中間柱３４と第２柱３２の間隔も、第１柱３１と中間柱３４の間隔と同様に約３００ｍｍに設定されている。
そして、第２実施形態では、間柱５は、南北方向に隣り合う第１柱３１と中間柱３４との間、および中間柱３４と第２柱３２との間には設けられておらず、東西方向に隣り合う２つの第１柱３１，３１、２つの中間柱３４，３４および２つの第２柱３２，３２の間に設けられている。
【００２２】
２本の中間柱３４，３４は、第１柱３１および第２柱３２と同様に、１階の耐力壁コア２Ｂに配置される場合は、土台と１階の梁材との間に配置され、２階の耐力壁コア２Ｂに配置される場合は、１階の梁材と２階の梁材との間に配置されている。
【００２３】
そして、第２実施形態では、板面が南北方向を向く構造用面材４が、２つの第１柱３１，３１の南側と、２つの中間柱３４，３４の南側と、２つの第２柱３２，３２の北側および南側と、にそれぞれ固定されている。また、板面が東西方向に向く構造用面材４は、西側の第１柱３１、中間柱３４および第２柱３２の西側と、東側の第１柱３１、中間柱３４および第２柱３２の東側と、にそれぞれ固定されている。
第２実施形態では、同じ面内において、第１柱３１および中間柱３４に固定される構造用面材４と、中間柱３４および第２柱３２に固定される構造用面材４とが一体化しているものとする。なお、第１柱３１および中間柱３４に固定される構造用面材４と、中間柱３４および第２柱３２に固定される構造用面材４とは、一体化していなくてもよい。
【００２４】
第２実施形態による木造建築物１Ｂでは、１つの耐力壁コア２Ｂに、第１実施形態の１つの耐力壁コア２Ａに設けられる構造用面材４よりも多くの構造用面材４を設けることができることにより、多くの耐力壁を有する構成とすることができ、多くの耐力壁を必要とする箇所に設置することができる。
【００２５】
図７に示すように、第３実施形態による木造建築物１Ｃは、２階の南側にバルコニーが設けられていて、１階には、開口部１３が設けられている第１壁部１２の南側に、バルコニーを支持する第２壁部２０が設けられている。
第２壁部２０は、軸線方向の両端部および中間部に第２壁体１５Ｂ，１５Ｂ，１５Ｂがそれぞれ設けられていて、軸線方向に隣り合う第２壁体１５Ｂ，１５Ｂの間には間隔があけられている。第３実施形態では、この隣り合う第２壁体１５Ｂ，１５Ｂの間隔も開口部１３Ｂとして説明する。なお、この開口部１３Ｂには、サッシなどの建具は設けられていない。
【００２６】
また、第３実施形態では、第１壁部１２の開口部１３Ａの西側の第１壁体１５Ａおよび東側の第１壁体１５Ａに一体化した耐力壁コア（以下、第１耐力壁コア２Ｃ、第２耐力壁コア２Ｄとする）が設けられているとともに、第２壁部２０の西側に配置された第２壁体１５Ｂと一体化した耐力壁コア（以下、第３耐力壁コア２Ｅ）が設けられている。また、第３実施形態では、第１〜第３耐力壁コア２Ｃ〜２Ｅは、１階部分のみに設けられている。
第３実施形態では、東西方向および南北方向に隣り合う柱の間隔は、略等しく約３００ｍｍに設定されている。
【００２７】
第１耐力壁コア２Ｃは、第１実施形態の１階に設けられている耐力壁コア２と同様に、２つの第１柱３１，３１および２つの第２柱３２，３２と、５つの構造用面材４と、を有している。
【００２８】
第２耐力壁コア２Ｄは、２つの第１柱３１，３１および２つの第２柱３２，３２を有するとともに、第２柱３２，３２の南側に、東西方向に２本ずつ、南北方向に２本ずつ配列された４本の第３柱３３，３３…が配置されている。そして、４本の第３柱３３，３３…のうち南側に配置される２本の第３柱３３，３３は、第２壁部２０の軸線２０ａ上に配置されている。
【００２９】
第２耐力壁コア２Ｄでは、板面が南北方向を向く構造用面材４が、東西方向に隣り合う２つの第１柱３１，３１の南側、東西方向に隣り合う２つの第２柱３２，３２の北側および南側、東西方向に配列された２組の２本の第３柱３３，３３の北側および南側にそれぞれ固定されている。
また、第２耐力壁コア２Ｄでは、板面が東西方向を向く構造用面材４が、南北方向に隣り合う西側の第１柱３１および第２柱３２の西側、南北方向に隣り合う西側の第２柱３２および第３柱３３の西側、南北方向に隣り合う東側の第１柱３１および第２柱３２の東側、南北方向に隣り合う東側の第２柱３２および第３柱３３の東側にそれぞれ固定されている。
なお、第２耐力壁コア２Ｄは、第３柱３３のうち南側に配置された第３柱３３が第２壁部２０の軸線２０ａ上に配置されている。
【００３０】
第３耐力壁コア２Ｅは、第１柱３１，３１が第２壁部２０の軸線２０ａ上に配置され、第２柱３２が第１柱３１，３１の北側に配置されている。第２柱３２は、第１壁部１２と第２壁部２０との間に配置されている。
第３耐力壁コア２Ｅでは、板面が南北方向を向く構造用面材４が、東西方向に隣り合う２本の第１柱３１，３１の南側、東西方向に隣り合う２本の第２柱３２の北側、南北方向に隣り合う西側の第１柱３１および西側の第２柱３２の西側、南北方向に隣り合う東側の第１柱３１および東側の第２柱３２の東側にそれぞれ固定さている。
【００３１】
第３実施形態によれば、第２耐力壁コア２Ｄを設けることにより、板面が南北方向を向く構造用面材４を多く配置することができるため、東西方向に延びる耐力壁を多く配置することができる。また、第３耐力壁コア２Ｅを設けることにより、室内１０Ａと室外１０Ｂとを仕切る第１壁部１２と離れた位置であっても、構造用面材４を配置することができるため、室内１０Ａと室外１０Ｂとを仕切る第１壁部１２と離れた位置に耐力壁を配置することができる。
そして、第３実施形態による木造建築物１Ｃによれば、形態の異なる第１〜第３耐力壁コア２Ｃ〜２Ｅを所定の位置に配置することにより、耐力壁をバランスよく配置することができる。
【００３２】
以上、本発明による木造建築物の実施形態について説明したが、本発明は上記の実施形態に限定されるものではなく、その趣旨を逸脱しない範囲で適宜変更可能である。
例えば、上記の実施形態では、木造建築物１Ａ〜１Ｃは２階建ての住宅としているが、住宅以外の建築物としてもよく、また、平屋の建築物や３階以上の建築物としてもよい。
また、上記の実施形態による耐力壁コア２Ａ〜２Ｅは、木造建築物１Ａ〜１Ｃの南側に配置されているが、北側、東側、西側など他の位置に配置されていてもよく、また、木造建築物１Ａ〜１Ｃの複数の側に配置されていてもよい。
【００３３】
また、第１実施形態および第２実施形態では、耐力壁コア２Ａ，２Ｂは、上下階に連続して配置されているが、例えば１階のみに配置されているなど、上下階に連続して配置されていなくてもよい。また、第３実施形態の第１〜第３耐力壁コア２Ｃ〜２Ｄは、１階のみに配置されているが、第１〜第３耐力壁コア２Ｃ〜２Ｄが上下階に連続して配置されていてもよい。
また、耐力壁コア２Ａ〜２Ｅは、木造建築物に対して１つ設けられていてもよいし、複数設けられていてもよく、複数設けられる場合は、同じ形態のものが設けられてもよいし、異なる形態のものが設けられていてもよい。
また、耐力壁コア２Ａ〜２Ｅの２つの第１柱３１，３１および２つの第２柱３２，３２は、平面視における四角形の隅部にそれぞれ配置されているが、この四角形は、長方形であってもよいし正方形であってもよい。また、耐力壁コア２Ａ〜２Ｅの柱３１〜３３間の間隔や構造用面材４の寸法は、適宜設定されてよい。
【００３４】
また、上記の第１実施形態では、耐力壁コア２Ａは、第１〜第５構造用面材４１〜４５の５枚の構造用面材４が配置されている形態であるが、第３構造用面材４３以外の４枚の構造用面材４が配置されている形態としてもよい。耐力壁コア２Ａ〜２Ｅは、平面視における四角形の隅部にそれぞれ配置された４本の柱３，３…（２本の第１柱３１，３１および２本の第２柱３２，３２）と、これらの４本の柱３，３点のうちの隣り合う柱３，３それぞれに固定された４枚の構造用面材４，４…と、を有していていればよく、第３の柱３２の数や、上記の４枚の構造用面材４，４…以外の構造用面材４の数は適宜設定されてよい。
また、上記の実施形態では、第２柱３２，３２は、第１柱３１，３１の室外１０Ｂ側に配置されているが、第１柱３１，３１の室内１０Ａ側に配置されていてもよい。
また、上記の実施形態では、第１壁部１２に開口部１３Ａが形成されているが、開口部１３Ａが形成されていなくてもよい。また、開口部１３Ａの数や形態は適宜設定されてよい。
また、第３実施形態では、第２壁部２０はバルコニーを支持しているが、１階の屋根などを支持していてもよい。
【符号の説明】
【００３５】
１Ａ〜１Ｃ  木造建築物
２Ａ，２Ｂ  耐力壁コア
２Ｃ  第１耐力壁コア（耐力壁コア）
２Ｄ  第２耐力壁コア（耐力壁コア）
２Ｅ  第３耐力壁コア（耐力壁コア）
３  柱
４  構造用面材
５  間柱
１０Ａ  室内
１０Ｂ  室外
１２  第１壁部（壁部）
１２ａ  軸線
１３Ａ，１３Ｂ  開口部
１５Ａ  第１壁体（壁体）
１５Ｂ  第２壁体（壁体）
２０  第２壁部（壁部）
２０ａ  軸線
３１  第１柱
３２  第２柱
３４  中間柱
【図１】
0006401513.tif 000002
【図２】
0006401513.tif 000003
【図３】
0006401513.tif 000004
【図４】
0006401513.tif 000005
【図５】
0006401513.tif 000006
【図６】
0006401513.tif 000007
【図７】
0006401513.tif 000008